【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
規定の容積又は領域内に既定の電磁界分布を生成するシステムであって、マルチチャネル高周波電源又はマイクロ波電源（１８）と、前記マルチチャネル高周波電源又はマイクロ波電源（１８）に接続された電磁界生成要素（２６）のアレイ（１９）と、前記電磁界生成要素（２６）によって生成される電磁界の重畳によって前記規定の容積内に前記既定の電磁界分布が生成されるように前記高周波電源又はマイクロ波電源（１８）を制御して前記電磁界生成要素（２６）の各々によって生成される望ましい電磁界を実現するためのフィードバックコントローラ（２７）と、を有し、前記フィードバックコントローラ（２７）へのフィードバックは、前記電磁界生成要素（２６）のそれぞれによって生成される前記電磁界の振幅及び位相である、システムであって、
電流センサ又は電場、磁場、若しくは電磁場センサ（４）が、前記電磁界生成要素（２６）の励起を直接的に判定することにより、前記電磁界生成要素（２６）のそれぞれによって生成される前記電磁界の振幅及び位相を間接的に検知するために、前記電磁界生成要素（２６）の各々に統合されており、
前記システムは、複数の計測装置（２０）を更に備え、前記計測装置（２０）の各々は、少なくとも１つの対応する前記センサ（４）からの信号の振幅及び位相を判定して出力することにより対応する前記電磁界生成要素（２６）によって生成して出力するために、少なくとも一つの対応するセンサ（４）に対して相互接続されかつ前記少なくとも一つの対応するセンサ（４）を一体的に有する対応する電磁界生成要素（２６）に対して信号接続されていることを特徴とするシステム。
【請求項２】
前記電磁界生成要素（２６）は、導体又はスロットに基づくアンテナ要素（２）又はコイルである請求項１に記載のシステム。
【請求項３】
前記マルチチャネル高周波電源（１８）には、振幅及び位相（８）を個別に制御して個別に制御された高周波出力（１１）を生成するための制御手段が設けられる請求項１又は２に記載のシステム。
【請求項４】
前記電磁界生成要素（２６）の各々には、前記マルチチャネル高周波電源（１８）の出力（１１）が印加される供給ポート（３）と、金属要素内を流れる電流の又は前記金属要素内の前記電流に類似したスロットに基づいたアンテナ要素（２）内の電磁界の位相及び振幅を計測するための前記統合されたセンサ（４）が設けられており、前記センサ（４）の出力は、前記電流又は電磁界の尺度である電気信号である請求項１乃至３のいずれか一項に記載のシステム。
【請求項５】
前記電磁界生成要素（２６）は、各電磁界生成要素（２６）を前記高周波電源（１８）の１つのチャネルの高周波パワーの出力（１１）によって励起され得るように、且つ、前記電磁界生成要素（２６）の前記統合されたセンサ（４）からの電気信号が各アンテナ要素（２）内の高周波の電流に比例するように又は、スロットに基づくアンテナ要素（２）の場合の電磁界に比例するように、アレイ（１９）の構成内に位置している請求項２又は４に記載のシステム。
【請求項６】
前記統合されたセンサ（４）を有する前記電磁界生成要素（２６）は、要素間の相互結合が存在する状況において対応する前記電磁界生成要素（２６）によって生成される前記電磁界の相対的な振幅及び位相の直接的な表示を提供することにより、相互結合が存在する状況において印加された電磁界の制御を提供する請求項５に記載のシステム。
【請求項７】
前記計測装置（２０）は、同相／直交（ＩＱ）復調器（１４）又はベクトルボルトメータであり、計測された電気信号に較正係数を乗算することにより、それぞれの個々の電磁界生成要素（２６）によって生成される前記電磁界の定量化を提供する請求項１乃至６のいずれか一項に記載のシステム。
【請求項８】
前記電磁界生成要素（２６）の各々は、各モジュールに個々のＩＤ又は連番を提供することによって較正データをシームレスに前記電磁界生成要素（２６）の各々に割り当てることができるような統合モジュールを形成するように、前記計測装置（２０）のチャネルと統合されており、前記統合モジュールは、迅速な修理、サービス、又はその両方を可能にするために交換してもよく、且つ、これにより、個々のＩＤは、異なるハードウェアの自動的な検出及び較正データの割当を提供する請求項１乃至７のいずれか一項に記載のシステム。
【請求項９】
前記フィードバックコントローラ（２７）は、前記センサ（４）によって検知されると共に前記計測装置（２０）によって計測される電磁界生成要素（２６）の電流又はスロットに基づいたアンテナ要素（２）の場合の電磁界が望ましい電流又は電磁界となるように、前記マルチチャネル高周波電源（１８）のそれぞれの個々のチャネルの振幅及び位相（８）の調節を可能にする請求項２，４，５及び６のいずれか一項に記載のシステム。
【請求項１０】
原子、分子、又は細胞構造を励起するために、或いは、１つ又は複数の物体内において又は１つ又は複数の誘電物体内の１つ又は複数の領域内において温度を上昇させるために、高周波エネルギーを前記１つ又は複数の誘電物体内に又は前記１つ又は複数の誘電物体の１つ又は複数の領域内に合焦するように適合されている請求項９に記載のシステム。
【請求項１１】
前記フィードバックコントローラ（２７）は、相互結合及び不整合に関する明示的な知識と、これらに基づいた計算とを伴うことなしに、前記電磁界生成要素（２６）の間の前記相互結合及びこれらの不整合を補正するように構成される請求項９に記載のシステム。
【請求項１２】
前記システムが、相互結合された反射励起を含む各アンテナ要素（２）における全高周波の励起電流に比例する、前記電磁界生成要素（２６）の前記統合されたセンサ（４）からの前記電気信号により、誘電体の物体若しくは金属の物体の存在に起因した相互結合及び不整合の変化、又は誘電体の物体若しくは金属の物体の位置の変化に起因した相互結合及び不整合の変化を補正する請求項１１に記載のシステム。
【請求項１３】
前記システムが、前記マルチチャネル高周波電源（１８）の単一チャネルによる前記電磁界生成要素（２６）の各々の励起により順に、且つ、結合行列を判定するための前記統合された全てのセンサ（４）から前記計測装置（２０）のすべてによって計測された前記電流又は電磁界を使用することにより、前記電磁界生成要素（２６）のアレイ（１９）の結合行列の観点において表された相互結合及び不整合を直接的に判定するように構成されている請求項１２に記載のシステム。
【請求項１４】
前記システムが、前記結合行列を使用して前記マルチチャネル高周波電源（１８）の高周波出力（１１）の初期振幅及び位相を算出し、且つ、前記電磁界生成要素（２６）と一体である前記電流又は電磁界センサ（４）からの計測システム（２０）によって計測された前記電流又は電磁界を算出するように構成され、前記システムを微細チューニングし、前記電磁界生成要素（２６）内の前記望ましい電流又は電磁界を提供するように前記フィードバックコントローラ（２７）を使用するように構成されている請求項１３に記載のシステム。
【請求項１５】
前記マルチチャネル高周波電源（１８）からの各高周波出力（１１）は前記電磁界生成要素（２６）のうちの何れか一つに接続可能であり、前記システムは、前記マルチチャネル高周波電源（１８）のうちいずれの高周波出力がいずれの電磁界生成要素（２６）に接続されているのかを判定すると共に、高周波出力（１１）と電磁界生成要素（２６）の間の正しいマッピングを規定するために前記統合された電流又は電磁界センサ（４）を使用するように構成されている請求項１乃至１４のいずれか一項に記載のシステム。
【手続補正２】
【補正対象書類名】明細書
【補正対象項目名】発明の名称
【補正方法】変更
【補正の内容】
【発明の名称】電磁界分布を生成するシステム